(57)【特許請求の範囲】
【請求項１】
スイッチを搭載した回路基板と前記スイッチを押下するためのキートップと前記回路基板を収容し前記キートップを保持するケースとを有する個別呼出用受信機において、前記ケースは、角穴を有する片持ち支持構造のばねと、前記ばねの両側に設けた一対の第１および第２の係止部と、前記ばねの固定端側の角穴の一部分を覆う第３の係止部とを有し、前記キートップは、指で押えられる受圧面と、前記受圧面の反対側の第１および第２のストッパーおよび第３のストッパーと第１の突起部と前記ばねが一時的に当接する第２の突起部と第３の突起部を有し、前記突起部は前記ばねの角穴に挿入されて、前記キートップの第１、第２および第３のストッパーは前記ケースの第１、第２および第３の係止部に当接されて、前記キートップの第３の突起部は前記ばねの先端に当接されて、前記キートップの第１の突起部は前記ばねの角穴の下方に設けられた前記スイッチを押すように対向していることを特徴とする個別呼出用受信機のキートップ取り付け構造。
【請求項２】
前記ケースのばねの先端が前記キートップの第３の突起部に当接して前記キートップを押し付けており、前記キートップの第１、第２および第３のストッパーが前記ケースの第１、第２および第３の係止部に当接していることにより、前記ばねの弾力で前記ケースと前記キートップとのがたつきを抑えられていることを特徴とする請求項１記載の個別呼出用受信機のキートップ取り付け構造。
【請求項３】
前記キートップの突起部が前記ばねに設けられた角穴に挿入されていることにより前記キートップの位置が規制されていることを特徴とする請求項１または２記載の個別呼出用受信機のキートップ取り付け構造。
【請求項４】
前記ケースのばねの先端が前記キートップの第２の突起部に当接した状態から前記キートップの第３の突起部に当接した状態に遷移可能であることで前記キートップが前記ケースの外側から取り付け可能となり、前記ケースのばねの先端が前記キートップの第３の突起部に当接した状態から前記キートップの第２の突起部に当接した状態に遷移不可能であることで外側から取り外しができないよう構成されていることを特徴とする請求項１、２、３のいずれかに記載の個別呼出用受信機のキートップ取り付け構造。
【発明の詳細な説明】
【０００１】
【発明の属する技術分野】
本発明は、個別呼出用受信機等の小型電子機器に用いるキートップの取付け構造に関し、特に、キートップの構造が簡単でケースに容易に取り付けられ安定に保持できるキートップ取付け構造に関するものである。
【０００２】
【従来の技術】
個別呼出用受信機などの小型電子機器には、１つあるいは複数のスイッチが設けられており、スイッチの操作性がよく安定で低コストであるキートップが望まれている。
【０００３】
従来のキートップの例としては、ストッパーを有するキートップを、キートップのストッパーが係止する係止部を有するケースに圧入するものがある。また、キートップのストッパーが弾性を持ち、ストッパーが撓みながらケースに挿入されるものもある。さらに、実開平6-79042号公報に開示されたもののように、キートップとケースの間のガタを抑えるための、ばね性を持ったアームを設けているものもある。
【０００４】
【発明が解決しようとする課題】
従来のキートップのうち、ストッパーをケースに圧入するものは、組立てを可能にし外れにくいようにするために、高い部品精度が要求される。部品寸法のばらつきが大きいと、組立時にキートップやケースの破損、変形が生じたり、使用中にキートップが外れるという問題がある。
【０００５】
また、キートップのストッパーが弾性を持ち、ストッパーが撓みながら挿入されるものは、ストッパーの撓みを得るためにキートップが大きくならざるをえず、キートップのためのスペースを多く必要とするという問題がある。
【０００６】
また、個別呼出用受信機の呼出用のバイブレータやスピーカー鳴音による振動で発生する異音を防止するために、キートップとケースの間のガタを無くすためのばねを設けると、キートップ操作を重くする。キートップ操作を軽くするために、荷重の軽いばねにしようとすると更にスペースを必要とする。ばねを設けるようにすると、ばねをケースと一体の樹脂で成形できず、ばねを別部品で構成することになり、部品数が増え構造が複雑になる。
【０００７】
本発明は前記従来の問題点を解消するもので、ストッパーを圧入することなくケースに装着でき、ストッパーとケースを永久変形させることがないキートップ取付け構造を提供することを目的とする。
【０００８】
さらに本発明は、簡単な構造でキートップの操作を重くすることなく、呼出し用のバイブレータやスピーカー鳴音による振動で発生する異音やがたつきを防止することを目的とする。
【０００９】
さらに本発明は、キートップの取付けに必要なスペースを最小とするとともに、ケースの外側から容易に組立て可能とすることを目的とする。
【００１０】
【課題を解決するための手段】
本発明では、前記の課題を解決するために、キートップ取付け構造を、ケースは、ばねと係止部とを有し、キートップは、ケースの外側から取り付ける際に、ばねを押し込む突起と、ケースの外側から取り外しできないように係止部に係止するストッパーとを有し、キートップは、ばねと係止部により挟持されている構造とする。
【００１１】
このように、ケースのばねを撓ませながらキートップを装着するように構成したので、キートップとケースを永久変形させることがなく、組立作業が容易となる。尚且つ、部品はそれほど高い寸法精度を必要としない。装着後はキートップのストッパーがケースの係止部に掛り、ばねが抜け止めとなるため、外側から外れることがない。ケースと一体成形のばねを、キートップの支点付近に当てることにより、簡単な構造で、キートップの操作を重くすることなくガタをとり、必要なスペースを最小とすることができる。
【００１２】
【発明の実施の形態】
本発明の請求項１に記載した発明は、スイッチを搭載した回路基板と前記スイッチを押下するためのキートップと前記回路基板を収容し前記キートップを保持するケースとを有する個別呼出用受信機において、前記ケースは角穴を有する片持ち支持構造ばねと、前記ばねの両側に設けた一対の第１および第２の係止部と、前記ばねの固定端側の角穴の一部分を覆う第３の係止部とを有し、前記キートップは、指で押えられる受圧面と前記受圧面の反対側の第１、第２のストッパーおよび第３のストッパーと第１の突起部と前記ばねが一時的に当接する第２の突起部と第３の突起部とを有し、前記突起部は前記ばねの角穴に挿入されて、前記キートップの第１、第２および第３のストッパーは前記ケースの第１、第２および第３の係止部に当接されて、前記キートップの第３の突起部は前記ばねの先端に当接されて、前記キートップの第１の突起部は前記ばねの角穴の下方に設けられた前記スイッチを押すように対向している構造であり、高精度の部品を必要とせずに、ストッパーを圧入することなくケースに容易に組立て可能とし、ストッパーとケースを永久変形させることなく、さらにキートップがケースの外側から外れないという作用を有する。
【００１３】
本発明の請求項２に記載した発明は、請求項１記載の個別呼出用受信機のキートップ取り付け構造において、前記ケースのばねの先端が前記キートップの第３の突起部に当接して前記キートップを押し付けており、前記キートップの第１、第２および第３のストッパーが前記ケースの第１、第２および第３の係止部に当接していることにより、前記ばねの弾力で前記ケースと前記キートップとのがたつきを抑えられているものであり、ばねにより安定に保持して呼出し用のバイブレータやスピーカー鳴音による振動で発生する異音やがたつきを防止するという作用を有する。
【００１６】
本発明の請求項３に記載した発明は、請求項１、２記載の個別呼出用受信機のキートップ取り付け構造において、前記キートップの突起部が前記ばねに設けられた角穴に挿入されていることにより前記キートップの位置が規制されているものであり、穴によりキートップの移動を抑えるという作用を有する。
【００１８】
本発明の請求項４に記載した発明は、請求項１、２、３記載の個別呼出用受信機のキートップ取り付け構造において、前記ケースのばねの先端が前記キートップの第２の突起部に当接した状態から前記キートップの第３の突起部に当接した状態に遷移可能であることで前記キートップが前記ケースの外側から取り付け可能となり、前記ケースのばねの先端が前記キートップの第３の突起部に当接した状態から前記キートップの第２の突起部に当接した状態に遷移不可能であることで外側から取り外しができないように構成されているものであり、組立てを容易にするとともに、外部衝撃によるキートップの脱落を防止するという作用を有する。
【００２５】
以下、本発明の実施の形態について、図１〜図６を参照しながら詳細に説明する。
【００２６】
本発明の実施の形態は、角穴を有するばねと係止部をケースに一体成形により設け、キートップに受圧面とストッパーと突起部を設け、突起部を角穴に挿入し、ストッパーを係止部に係止してばねと係止部で挟持し、突起部をスイッチを押すようにスイッチに対向させたキートップ取付け構造である。
【００２７】
図１〜図５は、本発明の実施の形態のキートップ取付け構造を示す図である。図１は、キートップ取付け構造を示す斜視図である。図２は、図１のＡ方向から見たケースを示す図である。図３は、キートップをケースに組み込んだ状態の断面を示す図である。図４と図５は、キートップの組込みの方法を示す図である。図１〜図５において、１はケース、２はキートップ、３はスイッチ、４はプリント基板を示している。
【００２８】
ケース１は合成樹脂等でできており、一体成形されたばね11が設けられている。また、ケース１には、キートップ２のストッパーを係止するための係止部12Ａ、12Ｂおよび13も設けられている。角穴14は、ばね11に設けられた長方形の穴である。ばね11は、角穴14があってコの字型となっているため構造的に強くなっており、樹脂成形時に型からケースが離れる際の力による変形が生じにくくなっている。また、ばね11の外周には、樹脂成形時の離型性向上のための勾配がついており、成形時の変形を抑えている。
【００２９】
キートップ２には、ストッパー22Ａ、22Ｂ、23が設けられており、それぞれケース１の係止部12Ａ、12Ｂ、13に対応して係止される。また、ストッパー22Ａ、22Ｂは、キートップ２の運動の支点となっている。ストッパー13が係止部23に係止しているので、キートップ２が図３の下方向に動くことを可能にしているが、キートップ２が上方向に外れないように、抜け止めになっている。
【００３０】
突起21は、キートップ２をケース１に挿入する時に、ばね11の先端11Ａに当たってばね11を押し込む。キートップ２の装着後は、突起21は、ばね11の先端11Ａから外れるので、ばね11の荷重を受けていない。また、突起21は、キートップ２の装着後は、ばね11の角穴14に入り、キートップ２が図３の左方向に動かないように、キートップ２の位置を規制している。
【００３１】
突起24は、キートップ２の装着後は常に、ばね11の先端を適当な力で押している。呼出し用のバイブレータやスピーカー鳴音による振動で、キートップ２が振動し異音を発生しないように、常にキートップ２は押さえられている。
【００３２】
突起25は、キートップ２の装着状態では角穴14に入っており、キートップ２を押した時にスイッチ３を押しオンさせる。スイッチ３は押された後、元に戻ろうとして、突起25を介してキートップ２を押し上げる働きをする。同時に、バネ11は突起24を介してキートップ２を押し上げる補助をするが、キートップ２の支点付近にばね11の先端が当たっており、キートップ２の押下による支点付近の突起24の変位量は少ないために、キートップ２の操作荷重への影響は少なくなっている。
【００３３】
キートップ２をケース１に装着する方法について説明する。図４のように、キートップ２を上から下に挿入する。この時、突起25が角穴14に入れられ、突起21が、ばね11の先端を押し込みながら挿入される。
【００３４】
次に、図５のように、キートップ２を右方向にスライドさせると、キートップ２のストッパー22Ａ、22Ｂ、23が、ケース１の係止部12Ａ、12Ｂ、23に係止される。スライドと同時に、突起21がばね11から外れ、突起24がばね11に当たるようになる。こうして、突起21、25が角穴14に入り込んだ結果、キートップ２の平面方向の位置が規制され、キートップ２がケース１から抜けることはなくなる。
【００３５】
キートップ２をケース１に一度装着した後で外そうとする時は、ばね11を図５のような位置にピンセットのような工具で下げ、装着時とは逆の手順でキートップ２を左にスライドさせ、突起21を角穴14から外し、同時にストッパー22Ａ、22Ｂ、23をケース１の係止部12Ａ、12Ｂ、23から外して上へ押し上げれば、外すことが可能である。
【００３６】
以上のように、本発明の実施の形態のキートップ取付け構造では、角穴を有するばねと係止部をケースに一体成形により設け、キートップに受圧面とストッパーと突起部を設け、キートップの突起部をばねの角穴に挿入し、キートップのストッパーをケース側の係止部に当接させ、キートップをばねの先端で押し、キートップの突起でスイッチを押すように構成し、ケースのばねを撓ませながらキートップを装着するので、高い寸法精度を必要としない部品でも組立作業時にキートップとケースを永久変形させることがなく、組立てが容易となる。また、装着後はキートップのストッパーがケースの係止部に掛り、ばねが抜け止めとなるため、外側から外れることがない。さらに、ばねをキートップの支点付近に当てることにより、キートップの操作を重くすることなくガタを無くすことができる。
【００３７】
【発明の効果】
以上説明したように本発明によれば、キートップの突起でばねを押し込み、ストッパーを係止部に係止して、キートップをばねと係止部により挟持する構成としたので、キートップの取付作業が容易となり、高精度の部品でなくてもキートップとケースを永久変形させることがないという効果が得られる。
【００３８】
また、ばねがキートップを押し付け、ストッパーが係止部に当接している構成としたので、ばねの弾力でケースとキートップとの間のガタが抑えられ、キートップの操作を重くすることなく、呼出用のバイブレータやスピーカーが発生する振動による異音発生を防止することができるという効果が得られる。
【００３９】
また、ばねの先端が第３の突起に当接した状態から第２の突起に当接した状態に遷移できない構成としたので、キートップが外側から外れることがなくなるという効果が得られる。
【００４０】
また、ばねと係止部をケースと一体成形で構成したので、キートップを取り付けるために必要なスペースを最小とすることができるという効果が得られる。
【００４１】
また、ばねが２本の細いばねで形成されている構造であれば成形時の変形の可能性が高く品質の安定性を欠く恐れがあるが、ばねが角穴があるコの字型をしているので構造的に強く、樹脂成形時に型からケースが離れる際の力による変形が生じにくいという効果が得られる。
【図面の簡単な説明】
【図１】小型電子機器におけるキートップとケースの構造の一例を示す斜視図、
【図２】図１のＡ方向からみたケースの図、
【図３】キートップをケースに組み込んだ状態の断面の図、
【図４】キートップをケースに組み込む方法を示した図、
【図５】キートップをケースに組み込む方法を示した図、
【図６】キートップを下方から見た斜視図である。
【符号の説明】
１  ケース
２  キートップ
３  スイッチ
４  プリント基板
11  ばね
14  角穴
12Ａ、12Ｂ、13  係止部
21、24、25  突起
22Ａ、22Ｂ、23  ストッパー
【図１】
0003748683.tif 000002
【図２】
0003748683.tif 000003
【図３】
0003748683.tif 000004
【図４】
0003748683.tif 000005
【図５】
0003748683.tif 000006
【図６】
0003748683.tif 000007